(57)【特許請求の範囲】
【請求項１】
開口部を有する袋本体と導入口を有する略方形の口紙とを、開口部と導入口とが導通するように接着してなる電気掃除機用集塵袋であって、
この口紙の外周を４辺に分け、袋本体への接着側と反対側から見たときの時計回りに、左辺、上辺、右辺、下辺とし、左辺と右辺との幅方向を横幅方向、上辺と下辺との幅方向を高さ方向とし、
左辺及び右辺は、各々横幅方向に直交する第１内側線と、第１内側線の高さ方向の上側終点を始点として横幅方向の外側に延びる第１連結線と、第１連結線の終点を始点として第１内側線と平行に延びる外側線と、外側線の終点を始点として横幅方向の内側に延びる第２連結線と、第２連結線の終点を始点として第１内側線と同一の直線上に延びる第２内側線とを有し、
かつ、左辺及び右辺における各々の第１内側線の終点を始点とし、第２内側線の始点を終点とする一対の切取線が、各第１内側線及び第２内側線よりも横幅方向の内側に形成されていることを特徴とする電気掃除機用集塵袋。
【発明の詳細な説明】
【０００１】
【発明の属する技術分野】
本発明は、電気掃除機用集塵袋に関する。さらに詳しくは、本発明は、種々の機種の電気掃除機の集塵部に対して容易に装着可能な電気掃除機用集塵袋に関する。
【０００２】
【従来の技術】
電気掃除機用集塵袋としては、開口部を有する袋本体と導入口を有する口紙とを、これら導入口と開口部とを略同一の位置になるように接着してなるものが一般的である。
電気掃除機用集塵袋は、電気掃除機の集塵部に装着して使用されるが、集塵部の形状が統一されていないので、メーカーや機種毎に異なったタイプの集塵袋が使用されている。そして、従来より、電気掃除機用集塵袋の口紙の形状を工夫することにより、種々の機種の電気掃除機の集塵部に適合可能とした共用型の電気掃除機用集塵袋が提案されている。例えば、特開平７−２６５２３４号公報や、実公平６−２５２５１号公報には、口紙に、高さ調節のためのミシン目、及び、取付孔又は取付孔を形成するためのミシン目等が形成された電気掃除機用集塵袋が記載されている。
【０００３】
【発明が解決しようとする課題】
上記従来の電気掃除機用集塵袋に設けられたミシン目により高さ等の口紙の幅を細かく調節するためには、ミシン目によって切り取る部分の幅を狭くする必要がある。しかしながら、一般に、口紙の材料には強度の高い丈夫なものが用いられているので、ミシン目によって切り取る部分の幅を狭くすると、手でつまみにくく、非常に切り取りにくくなり、手間がかかるという問題がある。したがって、種々の機種の電気掃除機の集塵部へ装着するために、口紙の幅の微細な調節をするのは難しい。
また、ミシン目をうまく切り取れずに口紙の外周にミシン目によるギザギザ部分ができてしまうと、その部分が、集塵部に装着する際又は集塵部から取り出す際に、集塵部にひっかかって装着が困難であったり、挿入した後、その部分と集塵部とのあいだに集塵袋本体がひっかかってうまく開かない等の問題も生じる。
【０００４】
本発明は、上記問題点に鑑みてなされたもので、種々の機種の電気掃除機の集塵部へ装着するために、口紙の縦及び／又は横の最大幅の調節を容易に行うことができる電気掃除機用集塵袋を提供することを課題とする。
【０００５】
【課題を解決するための手段】
本発明は、開口部を有する袋本体と導入口を有する略方形の口紙とを、開口部と導入口とが導通するように接着してなる電気掃除機用集塵袋であって、
この口紙の外周を４辺に分け、袋本体への接着側と反対側から見たときの時計回りに、左辺、上辺、右辺、下辺とし、左辺と右辺との幅方向を横幅方向、上辺と下辺との幅方向を高さ方向とし、
左辺及び右辺は、各々横幅方向に直交する第１内側線と、第１内側線の高さ方向の上側終点を始点として横幅方向の外側に延びる第１連結線と、第１連結線の終点を始点として第１内側線と平行に延びる外側線と、外側線の終点を始点として横幅方向の内側に延びる第２連結線と、第２連結線の終点を始点として第１内側線と同一の直線上に延びる第２内側線とを有し、
かつ、左辺及び右辺における各々の第１内側線の終点を始点とし、第２内側線の始点を終点とする一対の切取線が、各第１内側線及び第２内側線よりも横幅方向の内側に形成されていることを特徴とする。
【０００６】
本発明は、開口部を有する袋本体と導入口を有する略方形の口紙とを、開口部と導入口とが導通するように接着してなる電気掃除機用集塵袋であって、
この口紙の外周を４辺に分け、袋本体への接着側と反対側から見たときの時計回りに、左辺、上辺、右辺、下辺とし、左辺と右辺との幅方向を横幅方向、上辺と下辺との幅方向を高さ方向とし、
上辺は、高さ方向に直交する上側線を有し、
かつ、上側線より高さ方向の下側に切取線が形成され、
この切取線は、その少なくとも両端部が上側線と平行する中間線と、中間線の左辺側端部から左辺まで延びる左延長線と、中間線の右側端部から右辺まで延びる右延長線とからなり、
左延長線と右延長線とは、各々中間線の両端部よりも高さ方向の下側に形成されていることを特徴とすることが好ましい。
【０００７】
【発明の実施の形態】
以下、本発明の実施形態を図面を参照して説明するが、本発明は以下の実施形態に限定されるものではない。
図１は、本発明の第１実施形態に係る電気掃除機用集塵袋の一例であり、開口部１１を有する袋本体１０と、導入口２１を有する口紙２０とが、前記開口部１１と前記導入口２１とが導通するように接着されている。
本実施態様において、袋本体１０の平面形状は矩形状であり、そのサイズは、およそ１１０〜１２０ｍｍ×２２０〜２５０ｍｍ、例えば１１５ｍｍ×２３８ｍｍである。
袋本体１０の長辺方向の両端部には、両端部を封止するための折り曲げ部１５ａ、１５ｂが形成されている。
【０００８】
袋本体１０は、集塵された塵埃を収集し、さらにたとえばダニなどの害虫をも捕獲することができるものである。
その素材としてはたとえばパルプ、天然または合成繊維、天然または合成樹脂、ゴム、金属などの材料を紙、フィルム、織布、不織布、シート、プレート、ピースまたは棒状体などの素材に加工した濾材を単独または積層したものが用いられる。
袋本体１０は、１枚の袋体で形成されていてもよく、また２枚以上の複数の層を有する袋体で形成されていてもよい。
２枚以上の複数の層を有する袋体である場合、集塵袋本体の内側にある袋体（以下、内袋という）に大きな塵埃を除去しうる孔を有する袋体を用い、集塵袋本体の外側にある袋体（以下、外袋という）に微細な塵埃を除去しうる孔を有する袋体であるのが、集塵袋本体の目詰まりを防ぐうえで好ましい。
また、袋本体１０には、捕獲された害虫を防除するための活性物質を固定化してもよく、また袋本体１０内に前記活性物質を固定化したマットまたはシートを設けてもよい。
【０００９】
口紙２０の材料としては、電気掃除機の集塵部に取付可能とするために、ある程度の強度を有する素材が用いられる。例えば、パルプ、天然または合成繊維、天然または合成樹脂、ゴム、金属などの材料を、紙、フィルム、織布、不織布、シートまたはプレートなどの素材に加工し、これら素材を単独または積層したものが用いられる。
【００１０】
図２に示すように、口紙２０の外周は、ポイントＰ１〜Ｐ２間の下辺３１と、ポイントＰ３〜Ｐ４間の段差を有する上辺３２と、下辺３１と上辺３２の各々の図２における左端側であるポイントＰ１〜Ｐ３間の左辺３３と、下辺３１と上辺３２の各々の図２における右端側であるポイントＰ２〜Ｐ４間の左辺３４とから構成されている。
【００１１】
下辺３１の上側には、凹凸部を形成する手段であるミシン目４１，４２が設けられている。ミシン目４１，４２を切り取ることにより、下辺３１に凹凸部が形成されるようになっている。また、ミシン目４２は、口紙２０の下辺３１から上辺３２への方向（高さ方向）の最大幅を調製する手段としての機能も有しており、ミシン目４２を切り取ることにより又は切り取らないことにより、高さ方向の最大幅を２段階で調節できるようになっている。
【００１２】
上辺３２の中央部の上側線３２ａは、上辺３２の図２における高さ方向最上部において、高さ方向に直交している。この上側線３２ａの下側には、高さ方向の最大幅を調製する手段であるミシン目５１，５２，５３，５４が、左辺３３側から右辺３４側に延びて設けられている。
このうち、ミシン目５１は、高さ方向に直交する直線状である。ミシン目５２は、ミシン目５１よりも導入口２１側（図面下側）に設けられており、その中央部分が凹状部５２ａとされ、その左右の左部分５２ｂと右部分５２ｃとが、ミシン目５１と平行な直線状である。
【００１３】
また、ミシン目５３は、ミシン目５１と平行な直線状の上部平坦部５３ａと、上部平坦部５３ａよりも導入口２１側（図面下側）に、ポイントＰ３から上部平坦部５３ａと平行に設けられた下部平坦部５３ｂと、上部平坦部５３ａと下部平坦部５３ｂとを鈍角でつなぐ斜部５３ｃとから構成されている。また、ミシン目５４は、ミシン目５１と平行な直線状の上部平坦部５４ａと、上部平坦部５４ａよりも導入口２１側に、ポイントＰ４から上部平坦部５４ａと平行に設けられた下部平坦部５４ｂと、上部平坦部５４ａと下部平坦部５４ｂとを鈍角でつなぐ斜部５４ｃとから構成されている。
このミシン目５３の上部平坦部５３ａと、ミシン目５４の上部平坦部５４ａとは、互いに同一高さに設けられている。また、ミシン目５３の下部平坦部５３ｂと、ミシン目５４の下部平坦部５４ｂとは、互いに同一高さに設けられている。
ミシン目５３の上部平坦部５３ａと、ミシン目５４の上部平坦部５４ａと、これらの間をつなぐミシン目５２の凹状部５２ａの一部が、第２の発明における中間線となっている。また、ミシン目５３の斜部５３ｃと下部平坦部５３ｂとが、第２の発明における左延長線となっている。また、ミシン目５４の斜部５４ｃと下部平坦部５４ｂとが、第２の発明における右延長線となっている。
【００１４】
本実施形態では、ミシン目５１，５２，５３，５４を切り取ることにより、又はいずれのミシン目も切り取らないことにより、口紙２０の高さ方向の最大幅を４段階で調節できるようになっている。
ミシン目５２を切り取った後に、ミシン目５３，５４を切り取ることによって狭めることのできる口紙２０の高さ方向の最大幅は、ミシン目５２の左部分５２ｂ、右部分５２ｃと、ミシン目５３、５４の各上部平坦部５３ａ、５４ａとの間の幅である。この幅は、例えば５ｍｍ程度の狭い幅であっても差し支えない。
このように狭い幅の部分があっても、ミシン目５３の斜部５３ｃと下部平坦部５３ｂ、及びミシン目５４の斜部５４ｃと下部平坦部５４ｂとが、各々ミシン目５３、５４の各上部平坦部５３ａ、５４ａよりも下側に形成されているので、ミシン目５２の左部分５２ｂとミシン目５３の下部平坦部５３ｂとの間、ミシン目５２の右部分５２ｃとミシン目５４の下部平坦部５３ｂとの間が幅広になっている。
そのため、ミシン目５２を切り取った後に、ミシン目５３，５４を切り取る場合には、かかる幅広の部分をつまめば良いので、切り取りが容易である。
【００１５】
左辺３３は、ポイントＰ１から高さ方向と平行に設けられた第１内側線３３ａと、第１内側線３３ａの高さ方向の上側終点を始点として横幅方向の外側に斜めに延びる第１連結線３３ｂと、第１連結線３３ｂの終点を始点として第１内側線３３ａと平行に延びる外側線３３ｃと、外側線３３ｃの終点を始点として横幅方向内側に延びる第２連結線３３ｄと、第２連結線３３ｄの終点を始点として第１内側線３３ａと同一の直線上に延びる第２内側線３３ｅとから構成されている。
また、左辺３３の内側には、図２における横方向の幅を調節する手段であるミシン目６１が第１内側線３３ａの終点を始点とし、第２内側線３３ｅの始点を終点として、第１内側線３３ａ及び第２内側線３３ｅよりも横幅方向の内側に設けられている。このミシン目６１は、ポイントＰ１とポイントＰ３とを結んだ直線よりも導入口２１側（内側）に高さ方向と平行に設けられた平坦部６１ｂと、平坦部６１ｂと第１内側線３３ａとを鈍角でつなぐ斜部６１ａと、平坦部６１ｂと第２内側線３３ｅとを鈍角でつなぐ斜部６１ｃとから構成されている。
【００１６】
本実施形態では、ミシン目６１を切り取ることにより、又は切り取らないことにより、口紙２０の横幅方向の最大幅を調節できるようになっている。
ミシン目６１を切り取ることによって狭めることのできる口紙２０の横幅方向の最大幅は、外側線３３ｃと、第１内側線３３ａ、第２内側線３３ｅとの間の幅である。この幅は、例えば５ｍｍ程度の狭い幅であっても差し支えない。
このように狭い幅の部分があっても、左辺の外側線３３ｃとミシン目６１の平坦部６１ｂとの間が幅広になっているため、ミシン目６１を切り取る場合には、かかる幅広の部分をつまめば良いので、切り取りが容易である。
【００１７】
右辺３４は、ポイントＰ２から高さ方向と平行に設けられた第１内側線３４ａと、第１内側線３４ａの高さ方向の上側終点を始点として横幅方向の外側に斜めに延びる第１連結線３４ｂと、第１連結線３４ｂの終点を始点として第１内側線３４ａと平行に延びる外側線３４ｃと、外側線３４ｃの終点を始点として横幅方向内側に延びる第２連結線３４ｄと、第２連結線３４ｄの終点を始点として第１内側線３４ａと同一の直線上に延びる第２内側線３４ｅとから構成されている。
また、右辺３４の内側には、図２における横方向の幅を調節する手段であるミシン目７１が第１内側線３４ａの終点を始点とし、第２内側線３４ｅの始点を終点として、第１内側線３４ａ及び第２内側線３４ｅよりも横幅方向の内側に設けられている。このミシン目７１は、ポイントＰ１とポイントＰ３とを結んだ直線よりも導入口２１側（内側）に高さ方向と平行に設けられた平坦部７１ｂと、平坦部７１ｂと第１内側線３４ａとを鈍角でつなぐ斜部７１ａと、平坦部７１ｂと第２内側線３３ｅとを鈍角でつなぐ斜部７１ｃとから構成されている。
【００１８】
本実施形態では、ミシン目７１を切り取ることにより、又は切り取らないことにより、口紙２０の横幅方向の最大幅を調節できるようになっている。
ミシン目７１を切り取ることによって狭めることのできる口紙２０の横幅方向の最大幅は、外側線３４ｃと、第１内側線３４ａ、第２内側線３４ｅとの間の幅である。この幅は、例えば５ｍｍ程度の狭い幅であっても差し支えない。
このように狭い幅の部分があっても、右辺の外側線３４ｃとミシン目７１の平坦部７１ｂとの間が幅広になっているため、ミシン目７１を切り取る場合には、かかる幅広の部分をつまめば良いので、切り取りが容易である。
【００１９】
口紙２０の導入口２１は、導入口内周２１ａによって形成されている。導入口内周２１ａの外側には、導入口２１を拡張する手段である環状のミシン目２１ｂが設けられている。そして、このミシン目２１ｂを切り取るか否かにより、導入口２１の大きさと、必要に応じて位置の微調節ができる。
また、袋本体１０の開口部１１は、開口部内周１１ａによって形成されている。開口部内周１１ａの外側には、開口部１１を拡張する手段である環状のミシン目１１ｂが設けられると共に、開口部内周１１ａとミシン目１１ｂとの間を放射状につなぐ複数のミシン目１１ｃが設けられている。そして、このミシン目１１ｂ、１１ｃを切り取るか否かにより、開口部１１の大きさと、必要に応じて位置の微調節ができるようになっている。ミシン目１１ｂとミシン目２１ｂとは、平面視略同一の箇所になるように設けられている。
【００２０】
本実施形態の電気掃除機用集塵袋では、袋本体１０の長辺方向と、口紙２０の上辺３２から下辺３１方向すなわち高さ方向とが一致するように、袋本体１０と口紙２０とが接着されている。この場合、電気掃除機用集塵袋は、挿入方向Ｄを口紙２０の高さ方向と一致させ、口紙２０の下辺３１を先端として電気掃除機集塵部に挿入することが好ましい。口紙２０は、袋本体１０からはみ出さないように接着されているが、袋本体１０の横幅によっては、両側又は片側が袋本体１０からはみ出すように接着されていてもよい。なお、袋本体１０と口紙２０との接着面２５（図２の斜線部分）は、各ミシン目を避けるように、口紙２０の外周、内周双方から、十分に内側の範囲とされている。
【００２１】
図３は、図２に示す電気掃除機用集塵袋のＡ−Ａの位置における断面図である。図３に示すように、袋本体１０には、袋本体１０の長辺方向に沿って、蛇腹部１７ａ、１７ｂが形成されている。
また、本実施形態の電気掃除機用集塵袋では、袋本体１０は、図４に示すように、口紙２０の下辺３１の導入口２１側の位置１９ａと、上辺３２の導入口２１側の位置１９ｂとで、口紙２０側を外側として、折り曲げることができる。
この場合、電気掃除機用集塵袋は、位置１９ａを先端にして、図２に示す挿入方向Ｄに挿入することが好ましい。これにより、電気掃除機用集塵袋を集塵室に対し、口紙２０を高さ方向に装着する際に、袋本体１０が下辺３１と集塵室の部材の間に挟まれて開きにくくなるのを防止できる。
本実施形態の電気掃除機用集塵袋は、この折り曲げられた状態で外袋に収納され、販売に供されることができる。
本実施形態の電気掃除機用集塵袋は、図５に示すように、集塵室内において、袋本体１０を十分に膨らませることができる。
【００２２】
以下、図６〜図８に基づいて、本発明に係る電気掃除機用集塵袋の別の実施形態を説明する。尚、以下に記載する実施形態において、第１実施形態に対応する構成要素には、同一の符号を付してその詳細な説明を省略する。
【００２３】
図６は、本発明の電気掃除機用集塵袋の第２実施形態である。
本実施形態は、口紙２０の高さ方向の最大幅を調節する手段であるミシン目５２と、横方向の最大幅を調節する手段であるミシン目６１，７１の形状において上記第１実施形態と異なっている。すなわち、ミシン目５２は、全体が直線状になっている。また、ミシン目５２中央部分の導入口２１側には、凹部を形成するミシン目５５が設けられている。
すなわち、ミシン目５３の上部平坦部５３ａと、ミシン目５４の上部平坦部５４ａと、これらの間をつなぐミシン目５５の一部が、第２の発明における中間線となっている。
また、ミシン目６１は、斜部６１ａと平坦部６１ｂ、斜部６１ｃと平坦部６１ｂとが各々略直角になるように形成されている。同様に、ミシン目７１は、斜部７１ａと平坦部７１ｂ、斜部７１ｃと平坦部７１ｂとが各々略直角になるように形成されている。尚、本実施形態では、袋本体１０の開口部内周１１ａは、口紙２０の導入口２１ａと平面視略同一の箇所に形成されている。
【００２４】
図７は、本発明の電気掃除機用集塵袋の第３実施形態である。
本実施形態は、口紙２０の上辺３２が段差をつけずに設けられている点において上記第１実施形態と異なっている。すなわち、上辺３２は、ポイントＰ３から高さ方向に平行に延びている左後端部３２ｂと、ポイントＰ４から高さ方向に平行に延びている右後端部３２ｃと、左後端部３２ｂと右後端部３２ｃとを結ぶ、直線状の上側線３２ａとから構成されている。また、これに対応して、ミシン目５１，５２も、その両端が、左後端部３２ｂと右後端部３２ｃとに到達するように形成されている。尚、袋本体１０の開口部１１周辺の構成は、第１実施形態と同一である。
【００２５】
図８は、本発明の電気掃除機用集塵袋の第４実施形態である。
本実施形態は、口紙２０の左辺３３及び右辺３４の形状と、横方向の最大幅を調節する手段であるミシン目６１，７１の形状と、口紙２０の高さ方向の最大幅を調製する手段であるミシン目５２の形状において第３実施形態と異なっている。
すなわち、口紙２０の左辺３３及び右辺３４では、外側線３３ｃ，３４ｃの長さが短くなり、第２内側線３３ｅ，３４ｅの長さが長くなっている。また、それに対応して、横幅を調節する手段であるミシン目６１，７１は、高さ方向の長さ（平坦部６１ｂ，７１ｂの長さ）が、上記第３実施形態の場合よりも短く、導入口２１の直径とほぼ同じ長さであり、導入口２１のほぼ真横の位置に設けられている。
また、ミシン目６１を構成している斜部６１ａ及び斜部６１ｃは、平坦部６１ｂに対して垂直である。同様に、ミシン目７１を構成している斜部７１ａ及び斜部７１ｃは、平坦部７１ｂに対して垂直である。
さらに、口紙２０の高さ方向の最大幅を調製する手段であるミシン目５２は、上記第２実施形態と同様、全体が直線状になっており、また、ミシン目５２中央部分の導入口２１側に、凹部を形成する手段であるミシン目５５が設けられている。
【００２６】
図９は、本発明の電気掃除機用集塵袋に対する比較例である。
本比較例は、横方向の最大幅を調節する手段であるミシン目６１，７１の形状と、口紙２０の高さ方向の最大幅を調製する手段であるミシン目５３，５４の形状において第３実施形態と異なっている。
ミシン目６１，７１は、それぞれ、ポイントＰ１〜Ｐ３及びポイントＰ２〜Ｐ４間を結ぶ直線上に設けられており、ミシン目６１，７１を切り取った際には、左辺３３及び右辺３４は平坦となる。また、高さ方向の最大幅を調節する手段であるミシン目５３，５４は直線状に設けられている。
外側辺３３ｃとミシン目６１との間、及び、外側辺３４ｃとミシン目７１との間の幅がせまいので、ミシン目６１，７１は切り取りにくい。また、ミシン目５２と、ミシン目５３，５４との間の幅もせまく、ミシン目５３，５４は切り取りにくい。
【００２７】
上記各実施形態において、左辺及び右辺、並びに左右のミシン目は互いに均等なものとしたが、それぞれの長さや位置は均等でなくてもよい。例えば、図２の右辺３４、ミシン目７１と、図８の左辺３４、ミシン目６１とを組み合わせた構成してもよい。
また、各実施形態において、左右の第２連結線は、各々横方向に延びる構成としたが、第１連結線と同様に斜めの線としてもよい。また、左右の第１連結線及び第２連結線は、各々直線状としたが、曲線、例えば円弧状であってもよい。
また、ミシン目６１，７１は、各々複数の直線からなる構成としたが、その全部、又は一部が曲線であってもよく、例えば、全体が円弧状であってもよい。
また、各実施形態において、切取線がミシン目である場合について説明したが、切取線としては、ミシン目の他に、切溝や切り取り位置を示すガイドなどがあげられる。
また、各実施形態においては、口紙の高さ方向と袋本体の長辺方向とが一致するように口紙と袋本体とを接着しているが、口紙の横方向と袋本体の長辺方向とが一致するように口紙と袋本体とを接着してもよい。また、電気掃除機の集塵部に装着する方向を高さ方向に一定（挿入方向Ｄ）としたが、縦横を変更して、横方向に挿入してもよい。
なお、袋本体の蛇腹部を、単一の谷折り部を有するシングルタイプとしたが、ダブルタイプ等、２個以上の谷折り部を有するものとしてもよい。
【００２８】
【発明の効果】
以上詳述したように、本発明の電気掃除機用集塵袋は、調節しようとする幅が狭い場合であっても、手でつまみやすい幅広の部分を形成することによって、各切取線が切り取りやすく、幅を容易に調節することができる。したがって、種々の機種の電気掃除機の集塵部への装着操作が簡便である。
【図面の簡単な説明】
【図１】  本発明の第１実施形態に係る電気掃除機用集塵袋の斜視図である。
【図２】  本発明の第１実施形態に係る電気掃除機用集塵袋の正面図である。
【図３】  図２のＡ−Ａ線における断面図である。
【図４】  本発明の第１実施形態に係る電気掃除機用集塵袋を折り畳んだ状態の斜視図である。
【図５】  本発明の第１実施形態に係る電気掃除機用集塵袋が膨らんだ状態の斜視図である。
【図６】  本発明の第２実施形態に係る電気掃除機用集塵袋の正面図である。
【図７】  本発明の第３実施形態に係る電気掃除機用集塵袋の正面図である。
【図８】  本発明の第４実施形態に係る電気掃除機用集塵袋の正面図である。
【図９】  本発明の電気掃除機用集塵袋の比較例の正面図である。
【符号の説明】
１０…袋本体、１１…開口部、２０…口紙、２１…導入口、
３１…下辺、３２…上辺、３３…左辺、３４…右辺、
４１，４２，５１，５２，５３，５４，６１，６２，７１…ミシン目
【図１】
0003648232.tif 000002
【図２】
0003648232.tif 000003
【図３】
0003648232.tif 000004
【図４】
0003648232.tif 000005
【図５】
0003648232.tif 000006
【図６】
0003648232.tif 000007
【図７】
0003648232.tif 000008
【図８】
0003648232.tif 000009
【図９】
0003648232.tif 000010